(57)【要約】【課題】長さの異なるカードに対応してカード長さ調整機構の切換ボタンを切換えることで、カードの同一端面においてそれぞれ第１位置と第２位置とに位置決めし、コンタクトが損傷されることを防止し、常にコンタクトの接触部がカードの電極面に良好に接触されるように構成する。【解決手段】コネクタ本体と、該コネクタ本体に組合せられるカバー部材とからなる主ハウジングを備え、該主ハウジング内に滑動可能に収納された可動ハウジングと、該可動ハウジングと一体的に設けられたカード長さ調整機構と、該カード長さ調整機構と前記可動ハウジングに亙って設置された複数個のコンタクトと、前記可動ハウジングの両側に分けて設けられた第１イジェクト機構および第２イジェクト機構とを有する。【選択図】        図２
2004152550.tif 000002
【特許請求の範囲】
【請求項１】
コネクタ本体と、該コネクタ本体に組合せられるカバー部材とからなる主ハウジングを備え、該主ハウジング内に滑動可能に収納された可動ハウジングと、該可動ハウジングと一体的に設けられたカード長さ調整機構と、該カード長さ調整機構と前記可動ハウジングに亙って設置された複数個のコンタクトと、前記可動ハウジングの両側に分けて設けられた第１イジェクト機構および第２イジェクト機構とを有することを特徴とするカードコネクタ。
【請求項２】
前記カード長さ調整機構は、前記第１イジェクト機構のイジェクト部材と係合して位置決めするコンタクトハウジングを有することを特徴とする請求項１記載のカードコネクタ。
【請求項３】
前記カード長さ調整機構は、前記コンタクトハウジングを切換え作動すべく係合する切換ボタンが設けられていることを特徴とする請求項２記載のカードコネクタ。
【請求項４】
前記カード長さ調整機構は、前記切換ボタンの解除により滑動可能となることを特徴とする請求項３記載のカードコネクタ。
【請求項５】
前記コンタクトは、一端にカード接触部が形成された弾性コンタクト部片と、他端に弾性印刷回路接触部が形成された挟み込み形のコンタクト部片とを有することを特徴とする請求項４記載のカードコネクタ。
【請求項６】
前記コンタクトの弾性コンタクト部片と弾性印刷回路接触部との間を連結する中間部にハウジング圧入部が設けられていることを特徴とする請求項５記載のカードコネクタ。
【請求項７】
前記第２イジェクト機構は、前記カード長さ調整機構のコンタクトハウジングを案内路に沿って案内するためのスライダ部材と、前記可動ハウジングを弾性偏倚するばね部材とを有し、ハート形カムとカムレバーとによって前記スライダ部材をロックすることを特徴とする請求項１記載のカードコネクタ。
【発明の詳細な説明】
【０００１】
【発明の属する技術分野】
本発明は、携帯電話機や電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ等の電子機器や情報端末機器等に取付けられるカードコネクタに係わるもので、特に、ＳＤカードやブルートゥース（登録商標）カードと呼称されるＩＣカード等の小型のメモリカードのような長さの異なる２種類のカードが挿入されるように用いられるカードコネクタに関するものである。
【０００２】
【従来の技術】
近年、携帯電話機や電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ等の電子機器や情報端末機器等においては、メモリなどのＩＣチップと呼ばれるＩＣ部品が組込まれたＳＩＭ（ｓｕｂｓｃｒｉｂｅｒ  ｉｄｅｎｔｉｔｙ  ｍｏｄｕｌｅ）カード、ＭＭＣ（ｍｕｌｔｉ  ｍｅｄｉａ  ｃａｒｄ）、スマートメディア（登録商標）、ＳＤ（ｓｕｐｅｒ  ｄｅｎｓｉｔｙ；ｓｅｃｕｒｅ  ｄｉｇｉｔａｌ）カード、ブルートゥース（登録商標）カードなどのＩＣカードを挿入して用いるカードコネクタが広く求められている（例えば、特許文献１参照。）。
【０００３】
カードコネクタのカードの挿入方向にカードを長い形状とし、その先端にアンテナが配設された無線を使用するブルートゥース（登録商標）カードのようなカードがある。このようなブルートゥース（登録商標）カードでは、そのアンテナ部分をカードコネクタの筐体から飛び出させて使用している。
【０００４】
また、このような奥行きの長いカードに対応して幅方向の、コネクタ挿入口の外形寸法が同じで、長手方向の奥行きが短いＳＤカード等も使用されている。このようなＳＤカードのような短いカードが、上記のような奥行きの長いカードとともに使用されるようになって来ている。
【０００５】
【特許文献１】
特開２００１−２２３０４４号公報（第４−５頁、第５−６図）
【０００６】
【発明が解決しようとする課題】
しかしながら、産業界ではこのような奥行きの長いカードと、奥行きの短いカードとを共通の１つのカードコネクタによって共用することが求められている。ところでカードコネクタで長さの異なるカードを共用すると、カードの端末端面が不揃いとなり、使用機器の端面から少なくとも１枚のカードが飛出したりする。また、この飛び出たカードに外圧が加わった場合に、カードがコンタクトを損傷し、カードパッドからコンタクトの接触部が脱落してリードエラーが発生してしまう等の不都合な問題が見られた。
【０００７】
従って、本発明の目的は、このような従来における問題点を解決するために、長さの異なるカードに対応してカード長さ調整機構の切換ボタンを切換えることで、カードの同一端面において位置決めし、コンタクトが損傷されることを防止し、常にコンタクトの接触部がカードの電極面に良好に接触されるように構成されたカードコネクタを提供することにある。
【０００８】
【課題を解決するための手段】
上述の目的を達成するために、本発明のカードコネクタは、コネクタ本体と、該コネクタ本体に組合せられるカバー部材とによってハウジング形状に形成されるカードコネクタにおいて、前記コネクタ本体とカバー部材とにより形成される主ハウジング内に滑動可能に収納された可動ハウジングと、該可動ハウジングと一体的に設けられたカード長さ調整機構と、該カード長さ調整機構と前記可動ハウジングに亙って設置された複数個のコンタクトと、前記可動ハウジングの両側に分けて設けられた第１イジェクト機構および第２イジェクト機構とを有することを特徴とする。
【０００９】
また、本発明のカードコネクタは、前記カード長さ調整機構が、前記第１イジェクト機構のイジェクト部材と係合して位置決めするコンタクトハウジングを有することを特徴とする。
【００１０】
さらに、本発明のカードコネクタは、前記カード長さ調整機構が、前記コンタクトハウジングを切換え作動すべく係合する切換ボタンを有することを特徴とする。
【００１１】
さらにまた、本発明のカードコネクタは、前記カード長さ調整機構が、前記切換ボタンの解除により滑動可能となることを特徴とする。
【００１２】
本発明のカードコネクタは、前記コンタクトが、一端にカード接触部が形成された弾性コンタクト部片と、他端に弾性印刷回路接触部が形成された挟み込み形のコンタクト部片を有することを特徴とする。
【００１３】
また、本発明のカードコネクタは、前記コンタクトの弾性コンタクト部片と弾性印刷回路接触部との間を連結する中間部にハウジング圧入部が設けられていることを特徴とする。
【００１４】
さらに、本発明のカードコネクタの実施形態として、第１イジェクト機構が、前記イジェクト部材をロック位置に係止するラッチ部材を有してもよい。
【００１５】
さらにまた、本発明のカードコネクタの他の実施形態として、前記第１イジェクト機構が、前記イジェクト部材を弾性偏倚するばね部材を有してもよい。
【００１６】
本発明のカードコネクタの他の実施形態として、前記第１イジェクト機構が、前記イジェクト部材とラッチ部材の係合を解除するイジェクトボタンを有してもよい。
【００１７】
また、本発明のカードコネクタは、前記第２イジェクト機構が、前記カード長さ調整機構のコンタクトハウジングを案内路に沿って案内するためのスライダ部材と、前記可動ハウジングを弾性偏倚するばね部材とを有し、ハート形カムとカムレバーとによって前記スライダ部材をロックすることを特徴とする。
【００１８】
本発明のその他の目的や特徴および利点は、添付図面に示される本発明の実施形態についての以下の詳細な説明から明らかである。
【００１９】
【発明の実施の形態】
（実施例）
図１乃至図９には、本発明のカードコネクタの一実施例が示されており、図１は、本発明のカードコネクタの斜視図で、図２は、図１のカードコネクタを、カバー部材を取り除いて示す斜視図であり、図３はその平面図で、図４は側面図、図５は側断面図で、図６はその部分拡大断面図、図７は、カード挿入口側からの端面図で、図８は、弾性印刷回路ベルトのためのベルト挿入口側からの端面図、図９は、コンタクトの１つを拡大して示す斜視図である。
【００２０】
図示されるように、本発明のカードコネクタ１は、コネクタ本体１１にカバー部材１２を組合せて成る偏平な角形筒状の両端が開口された固定側の主ハウジング２と、この主ハウジング２内に嵌合されて滑動可能に収納された可動ハウジング３と、この可動ハウジング３と一体的に設けられたカード長さ調整機構４と、このカード長さ調整機構４を構成するコンタクトハウジング１４に設置された複数個のコンタクト５と、可動ハウジング３の一方の側壁３０に設けられた第１のイジェクト機構６と、可動ハウジング３の他方の側壁３１に設けられた第２のイジェクト機構７と、カード長さ調整機構４を切換え作動する切換ボタン８とを有している。
【００２１】
本発明のカードコネクタ１において、固定側の主ハウジング２は、両端が開口されていて一方の側に、可動ハウジング３と共同してカード挿入口９を構成しており、他方の側に弾性印刷回路（ＦＰＣ）テープ（以下、ＦＰＣテープと呼ぶ）１５のテープ挿入口１０を構成している。この主ハウジング２は、コネクタ本体１１とカバー部材１２とから構成されている。このコネクタ本体１１は、平板状のベース部１６と、このベース部１６の両側の側壁１７、１８と、ＦＰＣテープ１５を挿入する側の端壁１９とを有している。また、コネクタ本体１１の端壁１９には、ＦＰＣテープ１５を挿入するためのテープ挿入口１０を形成する開口部２０が切り欠かれて設けられている。
【００２２】
コネクタ本体１１と組合せられるカバー部材１２は、金属薄板を、例えば打抜きやプレス加工等によって折り曲げ加工されて作られ、四隅に取付用のフランジ部１３が設けられていて、取付けるべき機器にねじ等によって取り付けられる。また、カバー部材１２には、前方にカード用の開口２１が切り欠かれており、前方側に可動ハウジング３のための２つのガイド溝２２、２３と、イジェクトボタン用のガイド溝２４とが設けられており、後方側にコンタクトハウジング１４のためのガイド溝２５、２６が設けられている。さらに、カバー部材１２の中程後方の一側には切換ボタン８のためのガイド溝２７が設けられている。さらにまた、カバー部材１２の後方側に第２イジェクト機構７のためのカムレバー押え５５が設けられている。
【００２３】
また、コネクタ本体１１とカバー部材１２とから形成される第１のハウジングとしての主ハウジング２内には、第２のハウジングとしての可動ハウジング３が滑動可能に嵌合され収納されている。この第２のハウジングとしての可動ハウジング３は、内ハウジング部材２８と、この内ハウジング部材２８を覆うシェル部材２９とから構成されている。さらにまた、可動ハウジング３の内ハウジング部材２８は、ベース板３０と両側の側壁３１、３２と端壁３３とを有しており、端壁３３に隣接して横方向に細長く延びるカード長さ調整機構４のコンタクトハウジング１４が一体的に取付けられている。
【００２４】
このカード長さ調整機構４は、コンタクト５のＦＰＣ接触部３８が配列されるコンタクトハウジング１４から構成されており、このコンタクトハウジング１４内にＦＰＣテープ１５が差し込まれて印刷回路部分がコンタクト５と接触されるように構成されている。さらに、カード長さ調整機構４のコンタクトハウジング１４は、主ハウジング２内に滑動可能に嵌合されており、可動ハウジング３の内ハウジング部材２８の端壁３３と一体的に固着されて連結されている。さらにまた、可動ハウジング３の内ハウジング部材２８の側壁３２には、カードの書込防止ボタンとしてのライトプロテクトボタンのスライド位置を検出するライトプロテクトスイッチを構成する片持ち梁状に支持された金属ばね片５９が設けられている。
【００２５】
なお、本発明のカードコネクタ１に適用されるカードとしては、奥行き方向の長さが短いカードＡとしてＳＤカードが使用され、奥行き方向の長さの長いカードＢとしてブルートゥース（登録商標）カードが使用される。これらブルートゥース（登録商標）カードやＳＤカードに何等制限されるものではなく、他の同様なメモリカードやスティック等が使用できることは勿論である。以下、本発明のカードコネクタにおいて、使用されるＳＤカードのようなカードを単に短いカードと言い、ブルートゥース（登録商標）カードのようなカードを長いカードと言うものとする。
【００２６】
コンタクト５は、一端にカードのパッド部と接触するための片持ち梁形の円弧状のカード接触部３６が形成された弾性コンタクト部片３５を有している。また、コンタクト５の他端には、ＦＰＣテープ１５と接触するための挟み込み形のＦＰＣ接触部３８が形成されたコンタクト部片３７を有している。さらに、コンタクト５は、その中間部分に、可動ハウジング３の端壁３３とコンタクトハウジング１４とに固着するためのハウジング圧入部３９を有している。従って、コンタクト５は、中間部分のハウジング圧入部３９において、可動ハウジング３の内ハウジング部材２８の端壁３３と、コンタクトハウジング１４とに強固に固着されている。このようなコンタクト５の形状が図９に明示されている。
【００２７】
また、可動ハウジング３は、内ハウジング部材２８の端壁３３に沿って内側に向って突出するようにコンタクト支持台４０が設けられており、このコンタクト支持台４０の上にコンタクト５の弾性コンタクト部片３５が配置されるように構成されている。
【００２８】
さらに、このカード長さ調整機構４のコンタクトハウジング１４内には、コンタクト５の挟み込み形のコンタクト部片３７が配列されている。これによって、ＦＰＣテープ１５が挿入される時に、コンタクト５の挟み込み形のコンタクト部片３７のＦＰＣ接触部３８間にＦＰＣベルト１５が差し込まれて印刷回路部分が接触されるように形成されている。
【００２９】
さらにまた、このような可動ハウジング３を所定位置にロックして短いカードＡを使用するために、切換ボタン８が主ハウジング２の側壁１７の中程に設けられている。この切換ボタン８は、中に向って押し込まれる時に、カード長さ調整機構４のコンタクトハウジング１４の切り欠き部４１に係合してコンタクトハウジング１４を固定するように作用するものである。この固定される位置が、短いカードＡのための第１位置である。
【００３０】
これとは逆に、切換ボタン８を外方に向って引き出す時には、コンタクトハウジング１４の切り欠き部４１から切換ボタン８が外れてコンタクトハウジング１４を自由にするので、長いカードＢを押し込んだ時に、可動ハウジング３がコンタクトハウジング１４と一緒に滑動することができるようになる。このように、切換ボタン８が外の方に引き出されて、可動ハウジング３が主ハウジング２内の奥の方の位置にまで押し入れられて停止することができる。この位置が、長いカードＢのための第２位置である。
【００３１】
第１イジェクト機構６は、主ハウジング２のコネクタ本体１１の一方の側壁１７に対して可動ハウジング３の側壁３１に沿って滑動可能に設けられたイジェクト部材４２と、このイジェクト部材４２を所定位置にラッチして固定するラッチ部材４３と、ラッチ部材４３によるイジェクト部材４２のラッチを解除するためのイジェクトボタン４４と、イジェクト部材４２を押圧するように弾性偏倚するコイルスプリングのようなばね部材４５とを有している。
【００３２】
このイジェクト部材４２は、カードの切り欠かれた角部を受けて係合するように対応する形状に形成されたカード受け部４６を有している。さらに、イジェクト部材４２は、ＳＤカードのような短いカードＡを挿入位置に保持するためにラッチ爪４９が設けられており、このラッチ爪４９によって主ハウジング２のコネクタ本体１１の側壁１７に沿って設けられたラッチ部材４３の突起状のラッチ部４３ａとラッチ係合できるように形成されている。
【００３３】
このような第１イジェクト機構６のイジェクト部材４２のラッチを解除するために、主ハウジング２のカード挿入口９側において、側壁１７と可動ハウジング３との間にイジェクトボタン４４が押込み可能に設けられている。このイジェクトボタン４４は、押圧部４７と、この押圧部４７から先端に向ってテーパが付けられた先細の三角形状に尖った先端部４８とを有し、先端部４８がラッチ部材４３のラッチ部４３ａと係合することによってラッチ部４３ａを押し分けて、イジェクト部材４２のラッチ爪４９から外してラッチ係合を解除するように形成されている。
【００３４】
また、第２イジェクト機構７は、主ハウジング２の他方の側壁１８側に設けられたイジェクト部材としてのスライダ部材５０と、このスライダ部材５０を弾性偏倚するコイルスプリングのようなばね部材５１と、ハート形カム５２と、カム溝５３と、カムレバー５４と、カムレバー押え５５とを有している。さらに、この第２イジェクト機構７のイジェクト部材であるスライダ部材５０は、可動ハウジング３とコンタクトハウジング１４とに一体的に固着されており、主ハウジング２の側壁１８の内側に形成された案内路１８ａに沿って滑動可能に設けられている。側壁１８は、前壁３４部分を残して中程までに空所が形成され、この空所内にばね部材５１が設置されている。さらにまた、側壁１８の後半部には、スライダ部材５０のための案内路１８ａが設けられている。
【００３５】
ばね部材５１は、一端が、コネクタ本体１１の側壁１８から前方に折曲した形状に形成された前壁３４に係止される。さらに、ばね部材５１の他端はスライダ部材５０に係止されている。また、ばね部材５１は、円筒状のカバー５６によって覆われている。これによって、ばね部材５１が引っ張られた時に、他の部材を間に挟み込まないように保護されている。さらに、ハート形カム５２とカム溝５３が、後半部の案内路１８ａの上面に形成されており、カムレバー５４の一方の端部５４ａがカム溝５３に沿って案内されるようにカムレバー５４の他方の端部がスライダ部材５０に枢支されている。
【００３６】
さらに、コンタクトハウジング１４と可動ハウジング３の内ハウジング部材２８の両側壁３１、３２との上面には、ガイド用の突部６０、６１が設けられていて、カバー部材１２とシェル部材２９とに設けられたガイド溝２２、２３に嵌合している。また、これらガイド溝２２、２３に沿って可動ハウジング３が滑動して案内するように構成されている。また、カード長さ調整機構４のコンタクトハウジング１４の上面にも突部６２、６３が設けられており、カバー部材１２のガイド溝２５に嵌合されている。さらにまた、イジェクトボタン４４の上面にも同様に突部６４が設けられていてカバー部材１２のガイド溝２４に嵌合されている。
【００３７】
従って、切換ボタン８がコネクタ本体１１の切り欠き部４１から外れるように外方に作動されて、可動ハウジング３が第２位置にまで滑動可能になった時に、長いカードＢを差し込んで、先ず、第１イジェクト機構６のイジェクト部材４２を押してラッチ部材４３により可動ハウジング３に対してラッチして固定し、可動ハウジング３と一緒にカード長さ調整機構４のコンタクトハウジング１４と共に奥の方の第２位置にまで押し込まれるようになる。こうして、主ハウジング２の一番奥の第２位置にまでコンタクトハウジング１４と一緒に可動ハウジング３が押し込まれると、この押し込みによって第２イジェクト機構７のスライダ部材５０が滑動されてばね部材５１が引っ張られて、カムレバー５４の端部５４ａがカム溝５３に沿って移動される。
【００３８】
そして、カムレバー５４の端部５４ａがハート形カム５２の凹み部５７に入って、この凹み部５７に位置して、コンタクトハウジング１４と共に可動ハウジング３が停止されて停止位置である第２位置に固持される。この第２位置において、長いカードＢは、パッド部がコンタクト５のカード接触部３６と接触されて所定位置に挿入配置されるようになる。
【００３９】
このように構成された本発明のカードコネクタ１において、切換ボタン８が奥に向って押し込まれている時には、可動ハウジング３が主ハウジング２に固定されており、本発明のカードコネクタ１の中間の第１位置にコンタクト５が配置されている。従って、この状態では、短いカードＡが挿入されて使用されるようになっている。
【００４０】
これに対して、切換ボタン８が外方に引き出されている時には、主ハウジング２に対して可動ハウジング３が自由になっていて滑動することができるようになっている。従って、この場合には、長いカードＢを挿入して使用することができる。すなわち、長いカードＢを挿入すれば、可動ハウジング３が長いカードＢと一緒に主ハウジング２内を奥の方の位置にまで押し入れることができる。これによって、コンタクト５が主ハウジング２の奥の位置の、第２位置に整列されて配置されるようになり、長いカードＢを好適に挿入することができる。従って、このように、本発明のカードコネクタ１において、切換ボタン８によってコンタクト５を前方の第１の位置に配置して短いカードＡに対応することができる共に、切換ボタン８の切換作動によってコンタクト５を後方の第２の位置に配置して長いカードＢに対応できるように、本発明のカードコネクタ１を構成することができる。
【００４１】
また、上記のように構成された本発明のカードコネクタ１は、使用機器に四隅の取付用フランジ部１３において、ねじ等によって取り付けられ、ＦＰＣテープ１５がテープ挿入口１０から差し込まれてコンタクト５の挟み込み形コンタクト部片３７間に挿入されて、ＦＰＣテープ１５が装着される。
【００４２】
このような本発明のカードコネクタ１において、ＳＤカードのような短いカードＡと、ブルートゥース（登録商標）カードのような長いカードＢとを実際に使用する場合に就いて次に説明する。
【００４３】
先ず、ＳＤカードのような奥行きの短いカードＡを使用する場合が図１０乃至図１２に示されており、この場合に、図１０は、短いカードＡがフル挿入された時の斜視図で、図１１は、この短いカードＡがフル挿入された時の、カバー部材を取外した斜視図であって、図１２は、短いカードＡがイジェクトされた時の斜視図である。さらにまた、このような奥行きの短いカードＡの使用状態が図１３乃至図１６の平面図にそれぞれ示されており、図１３は、短いカードＡが挿入される前のカードコネクタを、カバー部材を取外して示す平面図で、図１４は、短いカードＡを挿入した時の同様な平面図であって、図１５は、短いカードＡを挿入してイジェクトボタンを押した時の平面図で、図１６は短いカードＡがイジェクトされた時の同様な平面図である。
【００４４】
図示されるように、本発明のカードコネクタ１のカード挿入口９から、奥行きの短いカードＡが挿入される。この短いカードＡは、切換ボタン８によって第１位置に固定されている可動ハウジング３内に挿入され、カードＡの切り欠き部が第１イジェクト機構６のイジェクト部材４２のカード受け部４５に当接してしっかりと係合される。もしも、この短いカードＡが裏返しで挿入されると、短いカードＡの角部がイジェクト部材４２の形状に適合せず、イジェクト部材４２と適切に係合できない。従って、短いカードＡは、カードコネクタ１内に十分に挿入することができない。これによって、短いカードＡの裏差しを防止することができる。
【００４５】
このようにして、短いカードＡがカードコネクタ１に正しく挿入されると、短いカードＡによってイジェクト部材４２が押されて、ばね部材４５が圧縮され、イジェクト部材４２が可動ハウジング３の端壁３３に当接されるようになる。これと同時に、イジェクト部材４２のラッチ爪４９がラッチ部材４３のラッチ部４３ａと係合してラッチされるようになり、短いカードＡのパッド部がコンタクト５と適切に接触されて、短いカードＡが正しく挿入され、所定位置の第１位置に停止されるようになる。この状態が、図１０と図１１に示されている。
【００４６】
こうして、ＳＤカードのような短いカードＡがカードコネクタ１に挿入されて装着され、所期の目的となる使用が可能となる。
【００４７】
次いで、このようなカードコネクタ１内に挿入された短いカードＡを取り出すためには、イジェクトボタン４７をカードコネクタ１に対して中に押し込むように押せば、イジェクトボタン４７の先の尖った先端部４８がラッチ係合しているラッチ部材４３のラッチ部４３ａを外方の開く方向に押す。この一連の動作によりラッチ部材４３が外方に押されてラッチ部材４３のラッチ部４３ａはイジェクト部材４２のラッチ爪４９から外れてイジェクト部材４２のラッチ係合が解除される。これにより、イジェクト部材４２は、ばね部材４５によって排出方向に向って弾性偏倚され、これによって短いカードＡを押出すようになる。このようして、短いカードＡは、図１２に示されるように、本発明のカードコネクタ１から排出されるようになるので、飛び出た短いカードＡの端を持って引き出せば、短いカードＡをカードコネクタ１から完全に引き出すことができる。
【００４８】
次に、ブルートゥース（登録商標）カードのような奥行きの長いカードＢを使用する場合が図１７乃至図２４に示されており、図１７は、本発明のカードコネクタに長いカードＢを挿入した時の斜視図で、図１８は、この長いカードＢをプッシュした時の斜視図であって、図１９は、長いカードＢを挿入してアンテナを使用する時の斜視図、図２０は、長いカードＢをイジェクトした時の斜視図である。さらに、図２１は、本発明のカードコネクタに長いカードＢを挿入した時の平面図で、図２２は、この長いカードＢをプッシュした時の平面図であって、図２３は、長いカードＢを挿入してアンテナを使用する時の平面図、図２４は、長いカードＢをイジェクトした時の平面図である。
図１７乃至図２０に示されるように、先ず、切換ボタン８を外方に向って作動してカード長さ調整機構４のコンタクトハウジング１４を自由にすることによって、主ハウジング２の奥の第２位置にまで可動ハウジング３を押し入れることができるようになる。次いで、長いカードＢをカード挿入口９から挿入してカードＢの角部をイジェクト部材４２のカード受け部４６に係合させてイジェクト部材４２をさらに中に押し込んで可動ハウジング３の端壁３３に当接させる。その上で、なお、長いカードＢをさらに押し込めば、長いカードＢによって可動ハウジング３と共にカード長さ調整機構４のコンタクトハウジング１４がさらに奥に移動される。これと同時に、スライダ部材５０が移動されて、ばね部材４５が引っ張られて緊張される。
【００４９】
この場合に、スライダ部材５０と一緒にカムレバー５４の端部５４ａがカム溝５３に沿って滑動されて、ハート形カム５２の凹み部５７に到達することによって、カムレバー５４が固持されてコネクタハウジング１４が所定の位置の第２位置に停止される。これによって、長いカードＢのパッド部がコンタクト５と適切に接触されて、長いカードＢの正しく挿入された停止状態が得られる。この長いカードＢが完全にフル挿入された時のカードコネクタ１が図１７に斜視図で示され、この時のカバー部材１２を取り除いた状態が図１８に同様な斜視図で示されており、また、図２１に平面図で示されている。図２１からも明らかなように、この長いカードＢが、第２位置にまで挿入された状態では、突部６２、６３がガイド溝２５、２６の一番奥にまでは入っておらず、僅かに離れており、従って、コネクタハウジング１４も端壁１９に当たっておらず、僅かに離れている。
【００５０】
こうして、ブルートゥース（登録商標）カードのような長いカードＢが本発明のカードコネクタ１に挿入されて装着され、所期の目的となる使用が可能となる。
【００５１】
次いで、長いカードＢを取り出すためには、先ず、長いカードＢを一度、奥に向って幾分か軽く押す。この時の状態が図２２に示されている。このように、長いカードＢを一度僅かだが中に押すと、突部６２、６３がガイド溝２５、２６の端部に当たり、コンタクトハウジング１４が端壁１９に当接する。
【００５２】
この時に、カムレバー５４の端部５４ａがハート形カム５２の凹み部５７から外れて、一番奥の直線状の排出開始ガイド溝５８のいずれか一方の中へと移動される。これによって、スライダ部材５０は、カムレバー５４よる錠止が解除されて自由なフリー状態になるので、そこで、長いカードＢの手による押圧を止めて長いカードＢを離せば、長いカードＢは、スライダ部材５０がばね部材５１の引っ張り力によって引っ張られるために排出方向に引き出される。
【００５３】
この場合に、カムレバー５４の端部５４ａはカム溝５３に沿って移動して、図１９、図２３の位置に来る。この位置がアンテナ使用位置である。さらに、この時に、第１イジェクト機構６のイジェクト部材４２は、ラッチ部材４３によってラッチされて固持されている。従って、必要に応じて、この位置で、長いカードＢに内蔵されているアンテナを使用して送信または受信することができる。この状態において、突部６０、６１は、ガイド溝２２、２３の端に当たっておらず、僅かに離れている。
【００５４】
続いて、イジェクトボタン４４を押して、イジェクト部材４２とラッチ部材４３とのラッチ係合を解除すれば、イジェクト部材４２は自由になってばね部材４５によって押圧されるために、長いカードＢがさらに排出されて、図２４のイジェクト状態となる。この状態で、突部６０、６１はガイド溝２２、２３の端に当たっている。この図２４に状態において、カードＢの端を持って引き出せば、長いカードＢは、カードコネクタから完全に排出されて引き出されるようになる。このようにして、本発明のカードコネクタ１において、長いカードＢがイジェクトされて排出されるようになる。
【００５５】
また、このように構成された本発明のカードコネクタ１の第２イジェクト機構７において、カムレバー５４の脱落を防止すると共に、カムレバー５４の端部５４ａの滑らかな摺動を可能とするように、カムレバー５４を押圧するカムレバー押え５５がカバー部材１２に設けられている。このような、カムレバー押え５５は，カバー部材１２における打抜きやプレス加工等によって簡単に形成することができる。
【００５６】
上述したように構成された本発明のカードコネクタによれば、カードコネクタのカード挿入口の外形寸法形状が同じで、挿入口方向の長手寸法が異なるメモリカード用のカードコネクタにおいて、同一カードコネクタのカード挿入スロットにて奥行きが短いカードと奥行きが長いカードとが同一機器内の同一端面においてそれぞれ短いカードのための第１位置と長いカードのための第２位置とで位置決めされて接触されるようになり、カードの端末面が同一面で揃うためにカードに外圧が加わっても、カードを損傷しないように保護すると共に、カードのパッド部からコンタクトの接触部が脱落してリードエラーが発生しないように保護することができる。
【００５７】
【発明の効果】
本発明の請求項１記載のカードコネクタは、コネクタ本体と、該コネクタ本体に組合せられるカバー部材とからなる主ハウジングを備え、該主ハウジング内に滑動可能に収納された可動ハウジングと、該可動ハウジングと一体的に設けられたカード長さ調整機構と、該カード長さ調整機構と前記可動ハウジングに亙って設置された複数個のコンタクトと、前記可動ハウジングの両側に分けて設けられた第１イジェクト機構および第２イジェクト機構とを有するので、同一カードコネクタのカード挿入スロットにて奥行きが短いカードと奥行きが長いカードとが同一機器内の同一端面でそれぞれ短いカードのための第１位置と長いカードの第２位置とに位置決めされて接触されるようになり、カードの端末面がこれら第１および第２位置においてそれぞれ同一面で揃うためにカードに外圧が加わっても、カードを損傷しないように保護すると共に、カードのパッド部からコンタクトの接触部が脱落してリードエラーが発生しないように保護することができる。
【００５８】
本発明の請求項２記載のカードコネクタは、前記カード長さ調整機構が、前記第１イジェクト機構のイジェクト部材と係合して位置決めするコンタクトハウジングを有するので、同一カードコネクタのカード挿入スロットにて奥行きが短いカードと奥行きが長いカードとが同一機器内の同一端面で位置決めされて接触されるようになり、カードの端末面が同一面において好適に揃えることができる。
【００５９】
本発明の請求項３記載のカードコネクタは、前記カード長さ調整機構が、前記コンタクトハウジングを切換え作動すべく係合する切換ボタンが設けられているので、長さの異なる長短二種類のカードを使用すべく切換え操作が切換ボタンによって簡単に、かつ容易にできる。
【００６０】
本発明の請求項４記載のカードコネクタは、前記カード長さ調整機構が、前記切換ボタンの解除により滑動可能となるので、切換え操作と切換え作動が確実にできると共に円滑に行うことができる。
【００６１】
本発明の請求項５記載のカードコネクタは、前記コンタクトが、一端にカード接触部か形成された弾性コンタクト部片と、他端に弾性印刷回路接触部が形成された挟み込み形のコンタクト部片を有するので、カードとの接続と弾性印刷回路（ＦＰＣ）テープとの接続が確実に行うことができる。
【００６２】
本発明の請求項６記載のカードコネクタは、前記コンタクトの弾性コンタクト部片と弾性印刷回路接触部との間を連結する中間部にハウジング圧入部を有するので、カードコネクタ内にコンタクトをしっかりと固着して取り付けることができる。
【００６３】
本発明の請求項７記載のカードコネクタは、前記第２のイジェクト機構が、前記カード長さ調整機構の位置調整部材を案内通路に沿って案内するためのスライダ部材と、前記可動ハウジングを弾性偏倚するばね部材とを有し、ハート形カムとカムレバーとによって前記スライダ部材をロックするので、簡単な操作でカードを良好に排出することができる。
【図面の簡単な説明】
【図１】本発明のカードコネクタの一実施例を示す斜視図である。
【図２】図１のカードコネクタを、カバー部材を取り除いて示す斜視図である。
【図３】図２のカードコネクタの平面図である。
【図４】図１の本発明のカードコネクタの側面図である。
【図５】図４のカードコネクタの側断面図である。
【図６】図５の部分拡大断面図である。
【図７】本発明のカードコネクタのカード挿入口側からの端面図である。
【図８】弾性印刷回路ベルトのためのベルト挿入口側からの同様な端面図である。
【図９】コンタクトの１つを拡大して示す斜視図である。
【図１０】本発明のカードコネクタに短いカードを挿入した時の斜視図である。
【図１１】図１０のカードコネクタのカバー部材を取り除いて示す斜視図である。
【図１２】図１０のカードコネクタにおいてカードをイジェクトした時の斜視図である。
【図１３】図１０の本発明のカードコネクタに短いカードが挿入される前のカードコネクタを、カバー部材を取外して示す平面図である。
【図１４】図１３のカードコネクタに短いカードを挿入した時の平面図である。
【図１５】図１３のカードコネクタに短いカードを挿入してイジェクトボタンを押した時の平面図である。
【図１６】図１３のカードコネクタに挿入された短いカードがイジェクトされた時の平面図である。
【図１７】本発明のカードコネクタに長いカードをフル挿入した時の斜視図である。
【図１８】図１７のカードコネクタを、カバー部材を取り除いて示す斜視図である。
【図１９】図１７のカードコネクタにおいて長いカードを挿入してアンテナを使用する時の斜視図である。
【図２０】図１７のカードコネクタにおいて長いカードをイジェクトした時の斜視図である。
【図２１】本発明のカードコネクタに長いカードを挿入した時の平面図である。
【図２２】図２１のカードコネクタの長いカードをプッシュした時の平面図である。
【図２３】図２１のカードコネクタにおいて長いカードを挿入してアンテナを使用する時の平面図である。
【図２４】図２１のカードコネクタにおいて長いカードをイジェクトした時の平面図である。
【符号の説明】
１      カードコネクタ
２      主ハウジング
３      可動ハウジング
４      カード長さ調整機構
５      コンタクト
６      第１イジェクト機構
７      第２イジェクト機構
８      切換ボタン
９      カード挿入口
１０    テープ挿入口
１１    コネクタ本体
１２    カバー部材
１３    取付用フランジ部
１４    コンタクトハウジング
１５    ＦＰＣテープ（弾性印刷回路テープ）
１６    ベース部
１７    側壁
１８    側壁
１９    端壁
２０    開口部
２１    開口
２２    ガイド溝
２３    ガイド溝
２４    ガイド溝
２５    ガイド溝
２６    ガイド溝
２７    ガイド溝
２８    内ハウジング部材
２９    シェル部材
３０    ベース部
３１    側壁
３２    側壁
３３    端壁
３４    前壁
３５    弾性コンタクト部片
３６    カード接触部
３７    コンタクト部片
３８    ＦＰＣ接触部
３９    ハウジング圧入部
４０    コンタクト支持台
４１    切り欠き部
４２    イジェクト部材
４３    ラッチ部材
４４    イジェクトボタン
４５    ばね部材
４６    カード受け部
４７    押圧部
４８    先端部
４９    ラッチ爪
５０    スライダ部材
５１    ばね部材
５２    ハート形カム
５３    カム溝
５４    カムレバー
５５    カムレバー押え
５６    カバー
５７    凹み部
５８    排出開始ガイド溝
５９    金属ばね片
６０    突部
６１    突部
６２    突部
６３    突部
６４    突部
【図１】
2004152550.tif 000003
【図２】
2004152550.tif 000004
【図３】
2004152550.tif 000005
【図４】
2004152550.tif 000006
【図５】
2004152550.tif 000007
【図６】
2004152550.tif 000008
【図７】
2004152550.tif 000009
【図８】
2004152550.tif 000010
【図９】
2004152550.tif 000011
【図１０】
2004152550.tif 000012
【図１１】
2004152550.tif 000013
【図１２】
2004152550.tif 000014
【図１３】
2004152550.tif 000015
【図１４】
2004152550.tif 000016
【図１５】
2004152550.tif 000017
【図１６】
2004152550.tif 000018
【図１７】
2004152550.tif 000019
【図１８】
2004152550.tif 000020
【図１９】
2004152550.tif 000021
【図２０】
2004152550.tif 000022
【図２１】
2004152550.tif 000023
【図２２】
2004152550.tif 000024
【図２３】
2004152550.tif 000025
【図２４】
2004152550.tif 000026